(57)【要約】【課題】扉側可動タイプの利点である戸当り部材の小型化を促進することができるとともに、扉を設定開き位置で確実に保持する。【解決手段】扉１に固定可能なケーシング２に、床面ＦＬに固定される少なくとも一部が磁性体３Ａ又は磁石から構成されている戸当り体３との間での磁力によって扉１を設定開き位置に吸着保持することが可能な磁石７又は磁性体を備えた昇降自在な可動部材５と、該可動部材５を上昇した待機位置に移動付勢する付勢体６とを組付けるとともに、前記可動部材における扉開閉方向の扉閉じ位置側となる後ろ部位に、前記扉の設定開き位置への移動時に戸当り体の側面に当接する後ろ当り部が設けられている。【選択図】図２
2010281179.tif 000002
【特許請求の範囲】
【請求項１】
扉に固定可能なケーシングに、床面に固定される少なくとも一部が磁性体又は磁石から構成されている戸当り体との間での磁力によって扉を設定開き位置に吸着保持することが可能な磁石又は磁性体を備えた昇降自在な可動部材と、該可動部材を上昇した待機位置に移動付勢する付勢体とを組付けるとともに、前記可動部材における扉開閉方向の扉閉じ位置側となる後ろ部位に、前記扉の設定開き位置への移動時に戸当り体の側面に当接する後ろ当り部が設けられている戸当り装置。
【請求項２】
前記戸当り体が、床面への取付け部を備えた磁性体又は磁石と、該磁性体又は磁石に対して上方から嵌着される樹脂製のカバーとから構成されている請求項１記載の戸当り装置。
【請求項３】
前記付勢体を構成する引張コイルスプリングが前記可動部材の中空部内に配置されているとともに、前記引張コイルスプリングの上端部が、前記可動部材の中空部に形成された昇降許容用の長孔を通してケーシングに架設された固定軸に取付けられ、前記引張コイルスプリングの下端部が、前記可動部材の中空部内の下部に固定されている請求項１又は請求項２記載の戸当り装置。
【請求項４】
前記ケーシングには、前記後ろ当り部とで前記戸当り体をドア開閉方向の両側から接当規制するロック部材と、ノック操作部材の押込み操作に連動してロック部材をロック状態と戸当り体よりも上方に移動させたロック解除状態とに交互に切り替えるロック操作手段とが設けられている請求項１〜３のいずれか１項に記載の戸当り装置。
【請求項５】
前記ロック操作手段には、前記可動部材の上部に上下動可能に外装されたノック操作部材と、前記可動部材に対してノック操作部材を上方に移動付勢するノック付勢体と、前記可動部材の外周面に形成されたロック操作位置及びロック解除操作位置を有するハート型のカム溝と、該カム溝に沿って移動可能な状態でノック操作部材に設けられるカムフォローアとが備えられているとともに、前記ノック操作部材のカムフォローアがカム溝内のロック操作位置に係止保持されているとき、前記ロック部材がロック状態に保持され、前記ノック操作部材のカムフォローアがカム溝内のロック解除操作位置に係止保持されているとき、前記ロック部材がロック解除状態に保持されるように、前記ノック操作部材とロック部材とが連係されている請求項４記載の戸当り装置。
【発明の詳細な説明】
【技術分野】
【０００１】
本発明は、扉を設定開き位置に保持する戸当り装置に関する。
【背景技術】
【０００２】
戸当り装置としては、床面側に可動部材を設ける床側可動タイプと扉側に可動部材を設ける扉側可動タイプとが存在する。
床側稼動タイプの戸当り装置の一例を挙げると、例えば、特許文献１に示すように、床面にビス止めするための複数の取付け孔及び可動部材用の収容凹部が形成されている基部材と、当該基部材に設けた水平軸周りでの揺動により収容凹部内に収容した水平待機姿勢と起立した係止姿勢とに切り替え可能な可動部材とから床面側戸当り部を構成するとともに、扉の下端面に形成された凹部内に埋設固定される又は扉の側面の固定されるケースには、前記可動部材を吸着起立させる磁石を、その吸着面が起立揺動した可動部材の傾斜角度と平行になる状態で形成して、扉側戸当り部を構成している。
【０００３】
また、扉側可動タイプの戸当り装置の一例を挙げると、例えば、特許文献２に示すように、扉に固定可能なケーシングに、床面に固定される戸当り部材の係合凹部に対して上方から係合可能な係合ピンと、この係合ピンを戸当り部材の上面よりも下方に突出する係合待機位置に移動付勢する圧縮コイルスプリングとを設けるとともに、前記戸当り部材には、前記扉の設定開き位置への移動時に前記係合ピンの下端位置に当接して該係合ピンを圧縮コイルスプリングの弾性付勢力に抗して上昇させながら係合凹部に移入案内する上がり勾配の移入ガイド傾斜面が形成されている。
【先行技術文献】
【特許文献】
【０００４】
【特許文献１】特開２００２−１４７０９３
【特許文献２】特開２００８−１８４８９７
【発明の概要】
【発明が解決しようとする課題】
【０００５】
しかしながら、床側稼動タイプの戸当り装置の場合は、前記基部材の中央部に、起立高さよりも長い可動部材を起伏揺動自在に枢着するための比較的大きな収容凹部を形成し、その収容凹部の周囲には、基部材を床面にビス止めする複数の取付け孔を形成するためのスペースを確保する必要があるため、基材部の表面積が大きくなり、しかも、前記可動部材を枢着するための軸受け構造を組付けるため、基材部の厚みも大きくなる。
そのため、床面側戸当り部が床面の広い領域において嵩張り、床面の景観が阻害されるばかりでなく、扉閉じ時において、床面側戸当り部に他物が引っ掛かり易くなる不都合がある。
【０００６】
また、扉側可動タイプの戸当り装置の場合は、床面側には可動部材が存在しないため、床面側の戸当り部材の表面積及び高さを床側稼動タイプよりも小さくすることができる。
しかし、前記戸当り部材の中心部には、前記ケーシングに設けられた係合ピンよりも少し大径の係合凹部を形成し、その係合凹部の周囲には、係合ピンを圧縮コイルスプリングの弾性付勢力に抗して上昇させながら係合凹部に移入案内するための上がり勾配の傾斜ガイド面を形成する必要があるため、戸当り部材の外径がそれほど小さくすることができなかった。
【０００７】
さらに、扉が設定開き位置に開き操作されたとき、扉側のケーシングに設けられた係合ピンが床面側の戸当り部材の係合凹部に係合するため、扉を固定操作したくない場合には、その都度、係合ピンを係合解除操作しなくてはならない不便さがある。
【０００８】
本発明は、上述の実状に鑑みて為されたものであって、その主たる課題は、扉側可動タイプの利点である戸当り部材の小型化を促進することができるとともに、扉を設定開き位置で確実に保持することのできる戸当り装置を提供する点にある。
【課題を解決するための手段】
【０００９】
本発明の戸当り装置による第１の特徴構成は、扉に固定可能なケーシングに、床面に固定される少なくとも一部が磁性体又は磁石から構成されている戸当り体との間での磁力によって扉を設定開き位置に吸着保持することが可能な磁石又は磁性体を備えた昇降自在な可動部材と、該可動部材を上昇した待機位置に移動付勢する付勢体とを組付けるとともに、前記可動部材における扉開閉方向の扉閉じ位置側となる後ろ部位に、前記扉の設定開き位置への移動時に戸当り体の側面に当接する後ろ当り部が設けられている点にある。
【００１０】
上記構成によれば、扉を開き操作する際、扉に固定されたケーシング側の可動部材に設けられた磁石又は磁性体が床面側の戸当り体に近接するに連れて該磁石の吸着力で可動部材が下降し、前記可動部材における扉開閉方向の扉閉じ位置側となる後ろ部位に設けられた後ろ当り部が、戸当り体の側面に扉開き方向から当接したとき、前記可動部材の磁石又は磁性体が戸当り体の上面における設定吸着位置に吸着される。
【００１１】
また、設定開き位置にある扉を閉じ操作すると、前記ケーシング側の可動部材の磁石又は磁性体は前記戸当り体の上面に沿って摺動しながら離脱し、前記付勢体による付勢力で可動部材が上昇する。
【００１２】
したがって、前記ケーシング側の可動部材に設けられた磁石又は磁性体と少なくとも一部が磁性体又は磁石から構成されている後ろ当り部とにより、扉を戸当り体の設定吸着位置に確実に吸着保持することができるとともに、前記戸当り体は少なくとも一部が磁性体又は磁石で構成され、且つ、その上面は扉の開閉に連れて可動部材の下端面と摺動可能な形態であれば良く、当該戸当り体の小型化、簡素化を図ることができる。
【００１３】
本発明の戸当り装置による第２の特徴構成は、前記戸当り体が、床面への取付け部を備えた磁性体又は磁石と、該磁性体又は磁石に対して上方から嵌着される樹脂製のカバーとから構成されている点にある。
【００１４】
上記構成によれば、前記戸当り体の主要部は床面への取付け部を備えた磁性体又は磁石から構成されるため、戸当り体の小型化、簡素化を促進することができる。しかも、前記ビス等で床面に固定された磁性体又は磁石に対して上方から樹脂製のカバーを嵌着することにより、床面への取付け部を美麗に覆い隠すことができるばかりでなく、前記可動部材の後ろ当り部との当接時の衝撃を緩衝することができる。
【００１５】
本発明の戸当り装置による第３の特徴構成は、前記付勢体を構成する引張コイルスプリングが前記可動部材の中空部内に配置されているとともに、前記引張コイルスプリングの上端部が、前記可動部材の中空部に形成された昇降許容用の長孔を通してケーシングに架設された固定軸に取付けられ、前記引張コイルスプリングの下端部が、前記可動部材の中空部内の下部に固定されている点にある。
【００１６】
上記構成によれば、前記可動部材を待機位置に上昇付勢する引張コイルスプリングを、前記可動部材に形成された中空部内にコンパクトに配置することができ、前記可動部材の中空部に形成された昇降範囲規制の長孔を、可動部材の昇降ガイドとして活用することができる。
【００１７】
本発明の戸当り装置による第４の特徴構成は、前記ケーシングには、前記後ろ当り部とで前記戸当り体をドア開閉方向の両側から接当規制するロック部材と、ノック操作部材の押込み操作に連動してロック部材をロック状態と戸当り体よりも上方に移動させたロック解除状態とに交互に切り替えるロック操作手段とが設けられている点にある。
【００１８】
上記構成によれば、扉に固定されたケーシング側の可動部材に設けられた磁石又は磁性体が床面側の戸当り体に近接するに連れて磁石の吸着力で可動部材が下降し、前記可動部材における扉開閉方向の扉閉じ位置側となる後ろ部位に設けられた後ろ当り部が、戸当り体の側面に扉開き方向から当接したとき、前記可動部材の磁石又は磁性が戸当り体の上面における設定吸着位置に吸着される。
【００１９】
この状態で、前記ロック操作手段のノック操作部材を押込み操作してロック部材をロック解除状態からロック状態に切り替えると、このロック部材と前記後ろ当り部との間で戸当り体を挟み込む状態に接当規制し、扉を戸当り体の設定吸着位置に確実に固定保持することができる。
【００２０】
また、前記ロック操作手段のノック操作部材を押込み操作してロック部材をロック解除状態に切り替えると、前記後ろ当り部が戸当り体に当接するだけとなり、設定開き位置にある扉を自由に閉じ操作することができる。
【００２１】
したがって、前記扉を戸当り体の設定吸着位置に確実に吸着保持するための後ろ当り部を利用して、任意の時期にロック操作することのできるロック構造を簡素化に構成することができる。
【００２２】
本発明の戸当り装置による第５の特徴構成は、前記ロック操作手段に、前記可動部材の上部に上下動可能に外装されたノック操作部材と、前記可動部材に対してノック操作部材を上方に移動付勢するノック付勢体と、前記可動部材の外周面に形成されたロック操作位置及びロック解除操作位置を有するハート型のカム溝と、該カム溝に沿って移動可能な状態でノック操作部材に設けられるカムフォローアとが備えられているとともに、前記ノック操作部材のカムフォローアがカム溝内のロック操作位置に係止保持されているとき、前記ロック部材がロック状態に保持され、前記ノック操作部材のカムフォローアがカム溝内のロック解除操作位置に係止保持されているとき、前記ロック部材がロック解除状態に保持されるように、前記ノック操作部材とロック部材とが連係されている点にある。
【００２３】
上記構成によれば、前記ノック操作部材のカムフォローアがカム溝内のロック解除操作位置に係止保持されているとき、前記ロック部材がロック解除状態に保持されている。この状態でノック操作部材を付勢力に抗してノック操作すると、前記ノック操作部材のカムフォローアがカム溝に沿ってロック操作位置に移動し、前記ロック部材がロック状態に保持される。
【００２４】
さらに、前記ノック操作部材を付勢力に抗してノック操作すると、これのカムフォローアがカム溝に沿ってロック解除操作位置に移動し、前記ロック部材がロック解除状態に保持される。
【００２５】
したがって、前記ノック操作部材の連続操作でロック部材をロック状態とロック解除状態とに交合に切り替えることができ、操作の簡便化を図ることができる。
【図面の簡単な説明】
【００２６】
【図１】本発明の第１実施形態の戸当り装置を示す分解縦断側面図
【図２】（ａ）は図４のロック解除操作位置Ｐ１にある状態での吸着状態を示す縦断側面図、（ｂ）は図４のロック解除操作位置Ｐ１にある状態での非吸着状態を示す縦断側面図
【図３】（ｃ）は図４のロック操作位置Ｐ３にある状態での吸着状態を示す縦断側面図、（ｄ）は図４の第２押込み操作位置Ｐ４にある状態での吸着状態を示す縦断側面図
【図４】カム溝の拡大背面図
【図５】前方斜め方向からの分解斜視図
【図６】背面斜め方向からの分解斜視図
【図７】（ａ）は扉の開き操作時の斜視図、（ｂ）は扉を設定開き位置で吸着保持してロックした時の斜視図
【図８】本発明の第２実施形態の戸当り装置を示す分解縦断側面図
【図９】（ａ）はロック解除時の吸着状態を示す縦断側面図、（ｂ）はロック解除時の非吸着状態を示す縦断側面図
【図１０】（ｃ）はロック時の吸着状態を示す縦断側面図
【図１１】一方側の斜め方向からの分解斜視図
【図１２】他方側の斜め方向からの分解斜視図
【図１３】（ａ）はロック解除時のロック操作手段の内部構造を示す斜視図、（ｂ）は押し込み操作時のロック操作手段の内部構造を示す斜視図、（ｃ）はロック時のロック操作手段の内部構造を示す斜視図
【図１４】ロック操作手段の要部の拡大水平分解断面図
【図１５】（ａ）はキャップとラチェットガイドとの嵌合状態を示す拡大水平断面図、（ｂ）はキャップとラチェットとの嵌合状態を示す拡大水平断面図
【図１６】（ａ）〜（ｄ）はノック操作部材の押し込み操作時の要部の作動説明図
【図１７】扉の開き操作時の斜視図
【図１８】（ａ）は扉の表面に取付けたときの水平断面図、（ｂ）は扉の裏面に取付けたときの水平断面図、
【図１９】本発明の第３実施形態の戸当り装置を示す扉の開き操作時の斜視図
【図２０】一方側の斜め方向からの分解斜視図
【図２１】他方側の斜め方向からの分解斜視図
【図２２】（ａ）はロック解除時の縦断側面図、（ｂ）はロック解除時の吸着状態を示す縦断側面図、（ｃ）はロック時の縦断側面図
【図２３】本発明の第４実施形態の戸当り装置を示す縦断側面図
【図２４】本発明の第５実施形態の戸当り装置を示す斜視図
【発明を実施するための形態】
【００２７】
〔第１実施形態〕
図１〜図７は、建築物の開口部にヒンジを介して縦軸芯周りで揺動開閉自在に取付けられる扉１の戸当り装置を示し、扉１に固定可能な合成樹脂製のケーシング２と、床面ＦＬに固定される少なくとも一部が磁性体である強磁性体３Ａから構成された戸当り体３、及び前記ケーシング２を覆う合成樹脂製の化粧カバー４とが備えられ、前記ケーシング２には、該ケーシング２の上下方向に貫通する装着空間Ｓを通して昇降可能な合成樹脂製の可動部材５と、該可動部材５を上昇した待機位置に移動付勢する付勢体の一例である引張コイルスプリング６とが組付けられているとともに、前記可動部材５の下端部には、前記戸当り体３の強磁性体３Ａとの間での磁力によって扉１を設定開き位置に吸着保持可能な円柱状の永久磁石７が設けられ、前記可動部材５の下端部に形成された磁石保持部５Ｃにおける扉開閉方向の扉閉じ位置側となる後ろ部位に、前記扉１の設定開き位置への移動時に戸当り体３の側面に当接して扉１を設定開き位置に規制する後ろ当り部８が設けられている。
【００２８】
前記ケーシング２には、前記後ろ当り部８とで戸当り体３をドア開閉方向の両側から挟み込む状態で接当規制するロック部材９と、ノック操作部材４１の押込み操作に連動してロック部材９をロック状態と戸当り体３よりも上方に移動させたロック解除状態とに交互に切り替え作動させるロック操作手段Ａとが設けられている。
【００２９】
前記戸当り体３は、図２、図３、図５に示すように、床面ＦＬへの取付け部である取付け孔３Ｃを貫通形成してある円環状の強磁性体（磁性体）３Ａと、該強磁性体３Ａに対して上方から嵌着される合成樹脂製のカバー３Ｂとから構成されているとともに、前記取付け孔３Ｃが皿ビス１１の頭部に沿ったテーパー面に形成され、さらに、前記強磁性体３Ａの外周面の底面側には、前記カバー３Ｂの内周面の下端に形成された径方向内方に突出する係合突起３ｂが脱着可能に弾性係合する係合溝３ａが形成されている。
【００３０】
前記ケーシング２は、前記扉１の開き側となる表面に当接する取付け面２０ａを備えた内方側の分割ケース２０と、前記扉１の表面に当接する取付け面２１ａを備えた外方側の分割ケース２１とに分割構成されているとともに、前記内方側分割ケース２０の半円弧状の内側面２０ｂと外方側分割ケース２１の略Ｕ字状の内側面２１ｂとの対向面間に前記装着空間Ｓが形成されている。
【００３１】
前記外方側分割ケース２１の左右の両側壁部２１ｃの複数箇所（当該実施形態では4箇所）には、両分割ケース２０，２１を扉１にビス止めするためのビス取付け筒部２２が一体形成され、前記内方側分割ケース２０の左右の両側壁部２０ｃの複数箇所（当該実施形態では4箇所）には、前記ビス取付け筒部２２の入り込みを許容する凹部２３が形成されているとともに、前記外方側分割ケース２１の内側面２１ｂには、当該外方側分割ケース２１内に入り込み状態で嵌合装着される内方側分割ケース２０の先端側の合わせ面２０ｄが当接する合わせ面２１ｄが突出形成されている。
【００３２】
前記化粧カバー４は、嵌合装着された両分割ケース２０，２１に対して上方から脱着自在に外套装着可能で、横断面形状が略Ｕ字状の側面カバー部４Ａと扁平板状の上面カバー部４Ｂとから構成されているとともに、前記側面カバー部４Ａの開口端縁には、前記外方側分割ケース２１の両側壁部２１ｃの開口端縁側に形成された上下方向に沿う係合凹部２１ｅに係合する第１係合突起４ａが一体形成され、前記上面カバー部４Ｂの開口端縁の左右中間部には、前記内方側分割ケース２０の上面の端縁に形成された水平方向に沿う係合凹部２０ｅに係合する第２係合突起４ｂが一体形成されている。
【００３３】
前記上面カバー部４Ｂには、前記ロック操作手段Ａの構成部材である後述の有底筒状のノック操作部材４１が突出する貫通孔４Ｃが形成されている。
【００３４】
前記可動部材５は、前記内方側分割ケース２０の内側面２０ｂに沿って上下方向に摺動する第１分割可動体５Ａと、前記外方側分割ケース２１の内側面２１ｂに沿って上下方向に摺動する第２分割可動体５Ｂとに分割構成されている。
【００３５】
前記両分割可動体５Ａ，５Ｂの対向面の下部側には、前記永久磁石７の上下方向及び水平方向の移動を規制した状態で収納するための空間を現出する磁石収納凹部２５が形成され、この磁石収納凹部２５が形成されている両分割可動体５Ａ，５Ｂの下側部をもって前記磁石保持部５Ｃが構成されているとともに、前記両分割可動体５Ａ，５Ｂの対向面における中部から上部にかけての領域には、前記引張コイルスプリング６を収納可能な中空部（内部空間）を現出するバネ収納凹部２６が形成されている。
【００３６】
前記両分割可動体５Ａ，５Ｂの合わせ面５ａ，５ｂにおける上部側の三箇所には、当該両分割可動体５Ａ，５Ｂを接合するために互いに嵌合自在な嵌合突起２７と嵌合穴２８とが形成されているとともに、前記両分割可動体５Ａ，５Ｂにおける両収納凹部２５，２６の隣接間には、当該両分割可動体５Ａ，５Ｂをネジ２９で接合固定するためのネジ挿通孔３０とネジ穴３１とが形成されている。
【００３７】
前記引張コイルスプリング６の上側係止部６ａは、前記両分割可動体５Ａ，５Ｂの合わせ面５ａ，５ｂにおける上下中間部位に形成された長孔形成用凹部３２を通して両分割ケース２０，２１の合わせ面２０ｄ，２１ｄに形成されている軸受け用凹部３３に架設されている係止ピン（固定軸の一例）３４に係止保持されているとともに、前記引張コイルスプリング６の下側係止部６ｂは、前記両分割可動体５Ａ，５Ｂを接合固定するためのネジ２９を利用して係止保持されている。
【００３８】
前記両分割可動体５Ａ，５Ｂの長孔形成用凹部３２で形成される長孔の長さは、最上昇位置である待機位置と戸当り体３の側面に当接可能な下降位置である戸当り位置とにわたる可動部材５の昇降を許容する長さ、換言すれば、取付け誤差を考慮した最大昇降範囲の規制機能を備えた長さに設定されている。
【００３９】
具体的には、前記長孔形成用凹部３２で形成される長孔の下端縁は、前記係止ピン３４との当接によって可動部材５を待機位置に保持するストッパー面に構成されているとともに、前記長孔形成用凹部３２で形成される長孔の上端縁は、前記可動部材５の下端面が戸当り体３のカバー３Ｂの上面に当接した状態において、前記係止ピン３４との間に設定余裕空間が形成されていて、扉１に対するケーシング２の取付け位置が設定取付け位置よりも少し上方にずれるような誤差が発生しても、所期の戸当り機能が確実に発揮できるように構成されている。
【００４０】
そして、図２の（ａ）、(ｂ) に示すように、扉１の設定開き位置に設けられた戸当り体３への近接移動に連れて永久磁石７の吸着力が引張コイルスプリング６の弾性復元力よりも強くなると、前記引張コイルスプリング６の弾性付勢力に抗して待機位置にある可動部材５が戸当り位置に下降し、前記永久磁石７で戸当り体３の強磁性体３Ａを吸着する。
【００４１】
このとき、前記可動部材５の下端部に形成された磁石保持部５Ｃにおける扉開閉方向の扉閉じ位置側となる後ろ部位に設けられた後ろ当り部８が、前記扉１の設定開き位置にある戸当り体３の側面に当接していない場合には、当接するまで前記可動部材５の下端面が戸当り体３のカバー３Ｂの滑らかな上面に沿って摺接する。
【００４２】
また、設定開き位置にある扉１を閉じ操作すると、当初は永久磁石７の吸着力が引張コイルスプリング６の弾性復元力よりも強いため、前記可動部材５の下端面が戸当り体３のカバー３Ｂの滑らかな上面に沿って摺接しながら閉動し、その閉動に連れて永久磁石７の吸着力が引張コイルスプリング６の弾性復元力よりも弱くなると、前記可動部材５が待機位置に上昇する。
【００４３】
前記後ろ当り部８は、少なくとも当り面が戸当り体３のカバー３Ｂの外周面に沿う円弧状に形成され、且つ、前記第１分割可動体５Ａの外周面の下端部に径方向外方及び下方に突出する状態で一体形成されているとともに、前記後ろ当り部８の上面８ａは、前記可動部材５が待機位置に上昇したとき、前記内方側分割ケース２０の内側面２０ｂの下端に形成された半円弧状の凹部３５に入り込んでそれの天井面に当接するストッパー面に兼用構成されている。
【００４４】
前記ロック部材９は、戸当り体３のカバー３Ｂの外周面に沿う円弧状に湾曲形成された板状体から構成され、且つ、前記可動部材５の第２分割可動体５Ｂの外周面と外方側分割ケース２１の内側面２１ｂとの対向面間において上下動自在に配置されている。
【００４５】
このロック部材９の下端部側には、第２分割可動体５Ｂの外周面に突出形成された一対の係止爪３８が上下方向に相対移動可能な状態で係止される係止孔３９が形成されているとともに、前記係止孔３９の長さが、待機位置と戸当り位置とにわたる可動部材５の昇降を許容する長さに設定されている。
【００４６】
前記ロック操作手段Ａには、前記可動部材５の上端部に上下動可能に外装された合成樹脂製の有底円筒状のノック操作部材４１と、前記可動部材５に対してノック操作部材４１を上方に移動付勢するノック付勢体の一例である圧縮コイルスプリング４２と、前記可動部材５の外周面に形成されたロック操作位置及びロック解除操作位置を有するハート型のカム溝４３と、該カム溝４３に沿って移動可能な状態でノック操作部材４１に設けられるカムフォローア４４とが備えられている。
【００４７】
前記ノック操作部材４１の外周面の下端部に形成された略Ｃの字状の係止溝４１Ａに、前記ロック部材９の上端に一体形成された拡径操作可能な略Ｃの字状の係止体９Ａを弾性挾持状態で装着することにより、前記ノック操作部材４１とロック部材９とが一体移動可能に連係されている。
【００４８】
前記カムフォローア４４を構成するに、前記ノック操作部材４１の周壁におけるＣの字状係止溝４１Ａの両端部間に位置する部位に、上下方向に沿う二本のスリット４４Ａによって径方向に弾性変形可能な可動片４４Ｂを形成し、この可動片４４Ｂの下端部に、カム溝４３に沿って相対移動可能な係合突起４４Ｃを内方側に突出形成されている。
【００４９】
前記圧縮コイルスプリング４２は、図２、図３に示すように、前記ノック操作部材４１の天井内面に突出形成された円筒状の保持突起４５と、前記両分割可動体５Ａ，５Ｂの上面に突出形成された円筒状保持突起を構成するための半円筒状突起４６とにわたって外装されている。
【００５０】
前記圧縮コイルスプリング４２の弾性付勢力によってノック操作部材４１が上方に移動付勢されるが、これの最大上昇位置は、当該ノック操作部材４１に設けたカムフォローア４４の係合突起４４Ｃと可動部材５に設けたカム溝４３のロック解除操作位置Ｐ１での係合によって規制されており、このノック操作部材４１に連結されたロック部材９はロック解除位置に保持されることになる。
【００５１】
前記カム溝４３は、図４に示すように、ハート型を上下で反転した閉ループ状に構成されていて、このカム溝４３の最上部の逆Ｖ字状溝部は、図２の（ａ）、(ｂ) に示すように、カムフォローア４４の係合突起４４Ｃとの係合によってロック部材９を最大上昇位置であるロック解除位置に保持するロック解除操作位置Ｐ１となる。
【００５２】
前記カム溝４３の左側最下部のＶ字状溝部は、図３の(ｄ)に示すように、ノック操作部材４１の第１回目の押し込み操作によって下方に移動するカムフォローア４４の係合突起４４Ｃを受止めて、ロック部材９をロック位置よりも少し下の最大下降位置に規制する第１押込み操作位置Ｐ２となる。
【００５３】
前記カム溝４３の下部寄りの中位の逆Ｖ字状溝部は、図４、図３の(ｃ)に示すように、ノック操作部材４１の第１回目の押し込み操作を解除して、圧縮コイルスプリング４２の弾性付勢力で上昇するカムフォローア４４の係合突起４４Ｃを受止めて、ロック部材９を最大下降位置から少し上昇したロック位置で係止保持するロック操作位置Ｐ３となる。
【００５４】
前記カム溝４３の右側最下部のＶ字状溝部は、図３の(ｄ)に示すように、ノック操作部材４１の第２回目の押し込み操作によって下方に移動するカムフォローア４４の係合突起４４Ｃを受止めて、ロック部材９をロック位置よりも少し下の最大下降位置に規制する第２押込み操作位置Ｐ４となり、ノック操作部材４１の第２回目の押し込み操作を解除すると、前記第２押込み操作位置Ｐ４に位置していたカムフォローア４４の係合突起４４Ｃが圧縮コイルスプリング４２の弾性付勢力で前記ロック解除操作位置Ｐ１に移動し、ノック操作部材４１に連結されたロック部材９がロック解除位置に保持される。
【００５５】
前記カム溝４３のうち、ロック解除操作位置Ｐ１から第１押込み操作位置Ｐ２への第１カム溝部４３Ａと、第１押込み操作位置Ｐ２からロック操作位置Ｐ３への第２カム溝部４３Ｂとの境界部位には、その境界線に沿って一段落ち込むことにより、第１押込み操作位置Ｐ２に移入したカムフォローア４４の係合突起４４Ｃがロック解除操作位置Ｐ１側に戻り移動することを阻止すると同時に、カムフォローア４４の係合突起４４Ｃをロック操作位置Ｐ３に移行案内する第１ガイド段差４３ａが形成されている。
【００５６】
前記カム溝４３のうち、前記第２カム溝部４３Ｂと、ロック操作位置Ｐ３から第２押込み操作位置Ｐ４への第３カム溝部４３Ｃとの境界部位には、その境界線に沿って一段落ち込むことにより、ロック操作位置Ｐ３に移入したカムフォローア４４の係合突起４４Ｃが第１押込み操作位置Ｐ２側に戻り移動することを阻止すると同時に、カムフォローア４４の係合突起４４Ｃを第２押込み操作位置Ｐ４に移行案内する第２ガイド段差４３ｂが形成されている。
【００５７】
前記カム溝４３のうち、前記第３カム溝部４３Ｃと、第２押込み操作位置Ｐ４からロック解除操作位置Ｐ１への第４カム溝部４３Ｄとの境界部位には、その境界線に沿って一段落ち込むことにより、第２押込み操作位置Ｐ４に移入したカムフォローア４４の係合突起４４Ｃがロック操作位置Ｐ３側に戻り移動することを阻止すると同時に、カムフォローア４４の係合突起４４Ｃをロック解除操作位置Ｐ１に移行案内する第３ガイド段差４３ｃが形成されている。
【００５８】
前記カム溝４３のうち、前記第４カム溝部４３Ｄと第１カム溝部４３Ａとの境界部位には、その境界線に沿って一段落ち込むことにより、ロック解除操作位置Ｐ１に移入したカムフォローア４４の係合突起４４Ｃが第２押込み操作位置Ｐ４側に戻り移動することを阻止すると同時に、カムフォローア４４の係合突起４４Ｃを第１押込み操作位置Ｐ２に移行案内する第４ガイド段差４３ｄが形成されている。
【００５９】
〔第２実施形態〕
図８〜図１８は、建築物の開口部にヒンジを介して縦軸芯周りで揺動開閉自在に取付けられる扉１の戸当り装置を示し、扉１の表裏面に対して選択的に固定可能な角筒状に構成された合成樹脂製のケーシング２と、床面ＦＬに固定される少なくとも一部が強磁性体（磁性体）３Ａから構成された戸当り体３と、前記ケーシング２を覆う合成樹脂製の化粧カバー４とが備えられ、前記ケーシング２には、該ケーシング２の上下方向に貫通する装着空間Ｓを通して昇降可能な角筒状に構成された合成樹脂製の可動部材５と、該可動部材５を上昇した待機位置に移動付勢する付勢体の一例である引張コイルスプリング６とが組付けられているとともに、前記可動部材５の下端部には、前記戸当り体３の強磁性体３Ａとの間での磁力によって扉１を設定開き位置に吸着保持可能な円柱状の永久磁石７が設けられ、前記可動部材５の下端部に形成された磁石保持部５Ｃにおける扉開閉方向の扉閉じ位置側となる後ろ部位に、前記扉１の設定開き位置への移動時に戸当り体３の側面に当接して扉１を設定開き位置に規制する後ろ当り部８が設けられている。
【００６０】
前記ケーシング２には、前記後ろ当り部８とで戸当り体３をドア開閉方向の両側から挟み込む状態で接当規制するロック部材９と、ノック操作部材４１の押込み操作に連動してロック部材９をロック状態と戸当り体３よりも上方に移動させたロック解除状態とに交互に切り替え作動させるロック操作手段Ａとが設けられている。
【００６１】
前記ケーシング２は、前記扉１の開き側となる表面に当接する取付け面５０ａを備えた第１分割ケース５０と、前記扉１の閉じ側となる裏面に当接する取付け面５１ａを備えた第２分割ケース５１とに分割構成されているとともに、前記第１分割ケース５０のコの字状の内側面５０ｂと第２分割ケース５１のコ字状の内側面５１ｂとの対向面間に前記装着空間Ｓが形成されている。
【００６２】
前記両分割ケース５０，５１の取付け面５０ａ，５１ａの複数箇所（当該実施形態では4箇所）には、図８に示すように、両分割ケース５０，５１を扉１にビス５８で固定するためのビス取付け孔５２が互いに相対抗するもの同士が連通する状態で形成され、前記第２分割ケース５１の左右の両側壁部５１ｃの上下中央部には、図１１、図１２に示すように、第１分割ケース５０の左右の両側壁部５０ｃの上下中央部に形成された係合凹部５３に係合する外方に弾性変形可能な係合爪５４が一体形成されている。
【００６３】
前記両分割ケース５０，５１の合わせ面５０ｄ，５１ｄにおける複数箇所（当該実施形態では4箇所）には、当該両分割ケース５０，５１を接合するために互いに嵌合自在な嵌合突起５５及び嵌合穴５６が形成されている。
【００６４】
そして、前記ケーシング２を扉１の開き側となる表面（室外側）に取付ける場合には、この扉１の表面に第１分割ケース５０の取付け面５０ａを当て付けて固定し、また、ケーシング２を扉１の閉じ側となる裏面（室内側）に取付ける場合には、この扉１の裏面に第２分割ケース５１の取付け面５１ａを当て付けて固定することにより、いずれの場合でも、前記後ろ当り部８の向き姿勢を一定に維持して、扉１の設定開き位置への移動時に後ろ当り部８の当り面を戸当り体３の側面に当接させることができる。
【００６５】
前記可動部材５は、前記第１分割ケース５０の内側面５０ｂに沿って上下方向に摺動する第１分割可動体５Ｄと、前記第２分割ケース５１の内側面５１ｂに沿って上下方向に摺動する第２分割可動体５Ｅとに分割構成されている。
【００６６】
前記両分割可動体５Ｄ，５Ｅの対向面の下部側には、前記永久磁石７の上下方向及び水平方向の移動を規制した状態で収納するための空間を現出する磁石収納凹部２５が形成され、この磁石収納凹部２５が形成されている両分割可動体５Ｄ，５Ｅの下側部をもって前記磁石保持部５Ｃが構成されているとともに、前記両分割可動体５Ｄ，５Ｅの対向面における中部から上部にかけての領域には、前記引張コイルスプリング６を収納可能な内部空間を現出するバネ収納凹部２６が形成されている。
【００６７】
前記両分割可動体５Ｄ，５Ｅの合わせ面５ｄ，５ｅにおける上部側の三箇所には、当該両分割可動体５Ｄ，５Ｅを接合するために互いに嵌合自在な嵌合突起２７と嵌合穴２８とが形成されているとともに、前記両分割可動体５Ｄ，５Ｅにおける両収納凹部２５，２６の隣接間には、当該両分割可動体５Ｄ，５Ｅをネジ２９で接合固定するためのネジ挿通孔３０とネジ穴３１とが形成されている。
【００６８】
前記引張コイルスプリング６の上側係止部６ａは、前記両分割可動体５Ｄ，５Ｅの合わせ面５ｄ，５ｅにおける上側部位に形成された長孔形成用凹部３２を通して両分割ケース５０，５１の合わせ面５０ｄ，５１ｄに形成されている軸受け用凹部３３に架設されている係止ピン３４に係止保持されているとともに、前記引張コイルスプリング６の下側係止部６ｂは、前記両分割可動体５Ｄ，５Ｅを接合固定するためのネジ２９を利用して係止保持されている。
【００６９】
前記化粧カバー４は、嵌合装着された両分割ケース５０，５１に対して上方から脱着自在に外套装着可能で、横断面形状が略コの字状の側面カバー部４Ａと扁平板状の上面カバー部４Ｂとから構成されているとともに、前記上面カバー部４Ｂには、前記ロック操作手段Ａの構成部材である有底角筒状のノック操作部材４１が上方に突出する貫通孔４Ｃが形成されている。
【００７０】
前記側面カバー部４Ａの左右の開口端縁には、第１分割ケース５０の取付け面５０ａと両側壁部５０ｃとの交差箇所である両角部に形成された上下方向に沿う係合凹部５０ｅ、及び第２分割ケース５１の取付け面５１ａと両側壁部５１ｃとの交差箇所である両角部に形成された上下方向に沿う係合凹部５１ｅに対して選択的に係合可能な係合突起４ｄが一体形成されている。
【００７１】
そして、前記ケーシング２を扉１の開き側となる表面（室外側）に取付ける場合には、この扉１の表面に固定される第１分割ケース５０の両係合凹部５０ｅに対して化粧カバー４の両係合突起４ｄを上方から係合装着し、また、また、ケーシング２を扉１の閉じ側となる裏面（室内側）に取付ける場合には、この扉１の裏面に固定される第２分割ケース５１の両係合凹部５１ｅに対して化粧カバー４の両係合突起４ｄを上方から係合装着する。
【００７２】
前記後ろ当り部８は、戸当り体３のカバー３Ｂの外周面の接線方向に沿う一直線状に形成され、且つ、前記第１分割可動体５Ｄの外周面の下端部に外方に突出する状態で一体形成されているとともに、前記後ろ当り部８の上面８ａは、前記可動部材５が待機位置に上昇したとき、前記第１分割ケース５０の内側面５０ｂの下端に形成された半円弧状の凹部３５に入り込んでそれの天井面に当接するストッパー面に兼用構成されている。
【００７３】
前記戸当り体３は、床面ＦＬへの取付け部である取付け孔３Ｃを貫通形成してある円環状の強磁性体（磁性体）３Ａと、該強磁性体３Ａに対して上方から嵌着される合成樹脂製のカバー３Ｂとから構成されている。
【００７４】
前記強磁性体３Ａの取付け孔３Ｃが皿ビス１１の頭部に沿ったテーパー面に形成されているとともに、前記強磁性体３Ａの外周面の底面側には、前記カバー３Ｂの内周面の下端に形成された径方向内方に突出する係合突起３ｂが脱着可能に弾性係合する係合溝３ａが形成され、さらに、前記カバー３Ｂの外周面の開口周縁には、床面ＦＬに接当する鍔部３ｄが一体形成されている。
【００７５】
前記ロック部材９は、前記可動部材５の第２分割可動体５Ｅの外周面と第２分割ケース５１の取付け面５１ａとの対向面間において上下方向に摺動自在に配置可能な板状に構成されているとともに、該ロック部材９の上端部９ａは、前記ノック操作部材４１の天井内面に形成された嵌合凹部４１Ｂに対して一体的に上下動可能な状態で下方から嵌合保持されている。
【００７６】
このロック部材９の下端部側には、両分割可動体５Ｄ，５Ｅを接合固定するネジ２９が上下方向に相対移動可能な状態で係止される係止孔４０が形成されているとともに、前記係止孔４０の長さが、待機位置と戸当り位置とにわたる可動部材５の昇降を許容する長さに設定されている。
【００７７】
前記ロック操作手段Ａには、前記可動部材５の両分割可動体５Ｄ，５Ｅの上端部に形成された小角筒部を構成する半小角筒部５ｆに対して上方から嵌合自在で、且つ、所定嵌合位置で前記半小角筒部５ｆに形成された係合孔５ｇに係合する外方に弾性変形可能な一対の係止爪６０ａを備えた筒状のキャップ６０と、該キャップ６０の円筒部６０Ａ内に下方から装着されるラチェット６１と、該ラチェット６１に対してキャップ６０の円筒部６０Ａ内を通して上方から当接可能で、且つ、前記ノック操作部材４１の天井内面の中央部に形成された円筒状の嵌合凹部４１Ｃに対して一体的に上下動可能な状態で下方から嵌合保持されるラチェットガイド６２と、前記ラチェット６１を上方に移動付勢する付勢手段の一例である圧縮コイルバネ６３とが備えられている。
【００７８】
前記キャップ６０の円筒部６０Ａの小径内周面６０ｂには、図１３〜図１６に示すように、径方向の溝深さが大なる三つの第１ガイド溝６０ｃと、当該第１ガイド溝６０ｃよりも溝深さの小なる三つの第２ガイド溝６０ｄとが、円周方向に等間隔で交互に位置する状態で上下方向に沿って形成され、前記第１ガイド溝６０ｃ及び第２ガイド溝６０ｄの上端部には、上方への抜け出し移動を阻止する抜け出し阻止部６０ｅが形成されている。
【００７９】
前記ラチェット６１の中間部６１ａの外周面の周方向三箇所には、径方向外方への突出代が第１ガイド溝６０ｃの溝深さよりも若干小で、且つ、前記第２ガイド溝６０ｄの溝深さよりも大に設定され、第１ガイド溝６０ｃに対してのみ下方から係入可能に構成された第１突条６１ｂが一体形成されているとともに、前記ラチェット６１の下端部には、前記圧縮コイルバネ６３の上端を受止めるバネ受け部６１ｃが一体形成され、このバネ受け部６１ｃの外周面が、前記キャップ６０の円筒部６０Ａの大径内周面６０ｆに摺接する昇降ガイド面に構成されている。
【００８０】
前記ラチェットガイド６２の外周面の下端部における円周方向６箇所には、前記第２ガイド溝６０ｄの溝深さよりも若干径方向外方への突出代が小で、且つ、前記第１・第２ガイド溝６０ｃ、６０ｄのいずれかに常時係合する第２突条６２ａが一体形成されている。
【００８１】
前記ラチェットガイド６２の第２突条６２ａが常時係合する第１・第２ガイド溝６０ｃ、６０ｄを備えたキャップ６０は、前記可動部材５の小角筒部に対して相対回転不能な状態で係合固定されているため、このラチェットガイド６２も前記第１・第２ガイド溝６０ｃ、６０ｄに沿って上下動するだけになる。
【００８２】
図１６に示すように、前記第１突条６１ｂの上端面を含むラチェット６１の中間部６１ａの上端面とラチェットガイド６２の下端面との相対向する接当面には、前記ノック操作部材４１の押し込み操作に伴うラチェットガイド６２の下端面による押し下げによって、前記ラチェット６１の第１突条６１ｂがキャップ６０の第１ガイド溝６０ｃから下方に抜け出したとき、前記ラチェット６１に一方向側に所定回転角の回転力を付与する波形カム面６１ｄ、６２ｂが形成されている。
【００８３】
図１６（ａ）に示すように、前記ラチェット６１の第１突条６１ｂがキャップ６０の第１ガイド溝６０ｃ内に位置する状態では、前記ラチェットガイド６２の下端面に形成された波形カム面６２ｂの最下端点が、ラチェット６１の中間部６１ａの上端面に形成された波形カム面６１ｄの傾斜面の中間部位に配置設定されている。
【００８４】
図１６（ｂ）、（ｃ）は、前記ラチェット６１の第１突条６１ｂがキャップ６０の第１ガイド溝６０ｃから下方に押し出される工程を示す。
前記ラチェット６１の第１突条６１ｂがキャップ６０の第１ガイド溝６０ｃから押し出されると、該ラチェット６１の回転の規制が解除されるため、この状態でノック操作部材４１の押し込み操作力を解除すると、図１６（ｃ）に示すように、ラチェット６１の波形カム面６１ｄが圧縮コイルバネ６３の弾性付勢力でラチェットガイド６２の波形カム面６２ｂに押し付けられ、ラチェット６１が一方向側に所定回転角度だけ回転することになる。
【００８５】
図８、図１３、図１６に示すように、前記キャップ６０の小径内周面６０ｂと中径内周面６０ｇとの段差箇所で、且つ、前記第１・第２ガイド溝６０ｃ、６０ｄの各隣接間には、前記波形カム面６１ｄ、６２ｂによって一方向側に回動されたラチェット６１の波形カム面６１ｄを圧縮コイルバネ６３の弾性付勢力で次の隣接する第１ガイド溝６０ｃ又は第２ガイド溝６０ｄの下端開口側に移行案内する移行傾斜面６０ｈと、この移行傾斜面６０ｈに沿って移行したラチェット６１の第１突条６１ｂの側面に当接して該ラチェット６１を第１ガイド溝６０ｃ又は第２ガイド溝６０ｄの下端開口に対応する部位に係止保持する溝延長側面（回転規制面）６０ｉが形成されている。
【００８６】
前記移行傾斜面６０ｈ及び溝延長側面６０ｉによるラチェット６１の第１突条６１ｂの移行案内先が、第２ガイド溝６０ｄの下端開口部である場合には、この第１突条６１ｂの上端面の径方向外方への突出代が第２ガイド溝６０ｄの溝深さよりも大に設定されているため、第１突条６１ｂの上端面は、図１６(ｄ)に示すように、圧縮コイルバネ６３の弾性付勢力で第２ガイド溝６０ｄの下端開口部に係合保持される。
【００８７】
そして、図１６(ｂ)に示すように、前記ノック操作部材４１が第１回目に最大限にまで押し込み操作されると、ロック部材９が所定のロック位置よりも少し下方の最大下降位置にまで下降し、この状態でノック操作部材４１の押し込み操作力が解除されると、前記波形カム面６１ｄ、６２ｂと移行傾斜面６０ｈ及び溝延長側面６０ｉの協働によって、図１６(ｄ)に示すように、ラチェット６１の第１突条６１ｂが第２ガイド溝６０ｄの下端開口部に移行して係止保持され、これがロック部材９のロック位置になる。
【００８８】
次に、前記ノック操作部材４１が第２回目に押し込み操作されると、ラチェット６１の第１突条６１ｂの上端面が溝延長側面６０ｉの下端よりも下方位置にまで降下し、該ラチェット６１の回転の規制が解除されるため、この状態でノック操作部材４１の押し込み操作力を解除すると、ラチェット６１の波形カム面６１ｄが圧縮コイルバネ６３の弾性付勢力でラチェットガイド６２の波形カム面６２ｂに押し付けられ、ラチェット６１が一方向側に所定回転角度だけ回転する。
【００８９】
この回転に連続して、前記移行傾斜面６０ｈ及び溝延長側面６０ｉにより、ラチェット６１の第１突条６１ｂが、第１ガイド溝６０ｃの下端開口部に移行される。
この第１突条６１ｂの上端面の径方向外方への突出代は、第１ガイド溝６０ｃの溝深さよりも小に設定されているため、ラチェット６１の第１突条６１ｂは溝延長側面６０ｉ及び第１ガイド溝６０ｃ内に沿って圧縮コイルバネ６３の弾性付勢力で上昇する。
【００９０】
この上昇は、ラチェットガイド６２の下端面に形成された波形カム面６２ｂとラチェット６１の中間部６１ａの上端面に形成された波形カム面６１ｄとが図16（ａ）に示す位置関係で当接し、且つ、前記キャップ６０の中径内周面６０ｇと大径内周面６０ｆとの段差箇所にラチェット６１のバネ受け部６１ｃが当接した状態で停止する。
この停止位置は、ノック操作部材４１に連結されたロック部材９が上昇したロック解除位置になる。
尚、その他の構成は、第１実施形態で説明した構成と同一であるから、同一の構成箇所には、第１実施形態と同一の番号を付記してそれの説明は省略する。
【００９１】
〔第３実施形態〕
図１９〜図２２は、建築物の開口部にヒンジを介して縦軸芯周りで揺動開閉自在に取付けられる扉１の戸当り装置を示し、扉１の表裏面に対して選択的に固定可能な角筒状に構成された合成樹脂製のケーシング２と、床面ＦＬに固定される少なくとも一部が強磁性体（磁性体）３Ａから構成された戸当り体３と、前記ケーシング２を覆う合成樹脂製の化粧カバー４とが備えられ、前記ケーシング２には、該ケーシング２の上下方向に貫通する装着空間Ｓを通して昇降可能な角筒状に構成された合成樹脂製の可動部材５と、該可動部材５を上昇した待機位置に移動付勢する付勢体の一例である引張コイルスプリング６とが組付けられているとともに、前記可動部材５の下端部には、前記戸当り体３の強磁性体３Ａとの間での磁力によって扉１を設定開き位置に吸着保持可能な円柱状の永久磁石７が設けられ、前記可動部材５の下端部に形成された磁石保持部５Ｃにおける扉開閉方向の扉閉じ位置側となる後ろ部位に、前記扉１の設定開き位置への移動時に戸当り体３の側面に当接して扉１を設定開き位置に規制する後ろ当り部８が設けられている。
【００９２】
前記化粧カバー４は、前記後ろ当り部８とで戸当り体３をドア開閉方向の両側から挟み込む状態で接当規制するロック部材に兼用構成されているとともに、この化粧カバー４をロック位置と戸当り体３よりも上方に移動させたロック解除位置とに手動操作で位置変更可能に保持する位置変更保持手段Ｂが設けられている。
【００９３】
前記ケーシング２を構成する４面の側壁部２Ａ〜２Ｄのうち、扉１への取付け面を備えた裏面側の側壁部２Ａの上下二箇所には、ビス６５の頭部が挿通可能な大径孔部とビス６５のネジ軸部のみが挿通可能な小径孔部とが結合した達磨形状の第１取付け孔６６と、ビス６５のネジ軸部のみが挿通可能な円形の第２取付け孔６７とが形成されている。
【００９４】
前記ケーシング２の表面側の側壁部２Ｂには、第２取付け孔６７に挿通されるビス６５に対する操作用切欠き部６８が形成されているとともに、左右の側壁部２Ｃ，２Ｄには、前記引張コイルスプリング６の上側係止部６ａを係止するための第１係止ピン６９を架設する円形状の第１軸受け孔７０と、前記引張コイルスプリング６の下側係止部６ｂを係止するための第２係止ピン７１を架設する上下方向に長い長孔状の第２軸受け孔７２とが形成されている。
【００９５】
前記可動部材５の円形状内部空間７４の下部には、上方から挿入される永久磁石７の下面を受け止める受止め部７５が一体形成されているとともに、前記可動部材５の円形状内部空間５Ｆにおける磁石収納空間の上部位置には、前記永久磁石７の上方への抜け出しを阻止する押えリング７６が配置され、当該押えリング７６は、これに形成された円周方向に沿う長孔７６ａに前記第２係止ピン７１を挿通させることにより係止保持されている。
【００９６】
前記可動部材５の４つの側面の各角部には、前記ケーシング２の内周面の四隅に形成されたガイド溝２ａに沿って相対回動不能な状態で上下方向に摺動案内される突条５Ｆが一体形成されているとともに、前記ケーシング２がケーシング２に対して９０度単位で差し替え可能に構成されている。
【００９７】
そのため、前記ケーシング２が扉１の裏面に取付けられる場合には、前記可動部材５をケーシング２に対して反転装着し、前記ケーシング２が扉１の表裏面のいずれに取付けられる場合でも、前記可動部材５の磁石保持部５Ｃにおける扉開閉方向の扉閉じ位置側となる後ろ部位に設けられた後ろ当り部８が、前記扉１の設定開き位置への移動時に戸当り体３の側面に当接して扉１を設定開き位置で確実に吸着保持できるようにする。
【００９８】
前記化粧カバー４は、ケーシング２に対して上方から脱着自在に外套装着可能で、横断面形状が略コ字状の側面カバー部４Ａと扁平板状の上面カバー部４Ｂとから構成されているとともに、前記側面カバー部４Ａの開口端縁には、前記ケーシング２の扉取付け面側の左右両側に形成された上下方向に沿う係合凹部２ｂに係合する係合突起４ｅが一体形成されている。
【００９９】
前記位置変更保持手段Ｂは、前記化粧カバー４の上面カバー部４Ｂの下面における扉１側に偏倚した部位に、扉１の表面又は裏面に対して遠近方向に弾性変形可能な状態でケーシング２の第２取付け孔６７よりも下方に突出する可動片８０を垂設し、この可動片８０の下端部には、ケーシング２の第２取付け孔６７を通して扉１に固定されたビス６５の頭部６５ａに嵌合して、化粧カバー４をそれの下端が扉１の下端と面一になるロック解除位置に保持する凹部８１が形成されている。
【０１００】
前記化粧カバー４の上面カバー部４Ｂを押込み操作すると、前記可動片８０の撓み変形によって前記凹部８１がビス６５の頭部６５ａを乗り越え移動し、前記上面カバー部４Ｂの下面の先端側がケーシング２の上端面に当接したとき、前記化粧カバー４の側面カバー部４Ａの下端部が戸当り体３の側面に当接可能なロック状態となり、そのロック状態が化粧カバー４の自重で維持されるように構成されている。
尚、その他の構成は、第１実施形態又は第２実施形態で説明した構成と同一であるから、同一の構成箇所には、第１実施形態又は第２実施形態と同一の番号を付記してそれの説明は省略する。
【０１０１】
〔第４実施形態〕
図２３は、上述の第３実施形態における前記位置変更保持手段Ｂの可動片８０及び凹部８１を削除するとともに、前記化粧カバー４の高さ寸法を、ケーシング２の高さよりも上面カバー部４Ｂの厚み分だけ大きく構成して、前記化粧カバー４のロック機能を無くしたものである。
尚、その他の構成は、第３実施形態で説明した構成と同一であるから、同一の構成箇所には、第３実施形態と同一の番号を付記してそれの説明は省略する。
【０１０２】
〔第５実施形態〕
上述の第１〜第４実施形態では、扉１の表面又は裏面に取付ける戸当り装置について説明したが、図２４に示すように、戸当り装置のケーシング２を扉１に埋設状態で取付けてもよい。
この第５実施形態では、前記可動部材５の下端部に形成された磁石保持部５Ｃにおける扉開閉方向の扉閉じ位置側となる後ろ部位に、前記扉１の設定開き位置への移動時に戸当り体３の側面に当接して扉１を設定開き位置に規制する後ろ当り部８が設けられているとともに、前記ケーシング２には、前記後ろ当り部８とで戸当り体３をドア開閉方向の両側から挟み込む状態で接当規制するロック部材(図示せず)と、ロック部材をロック状態と戸当り体３よりも上方に移動させたロック解除状態とに切り替え作動させるロック操作手段(主要部は図示せず)が設けられている。
前記ロック操作手段の切り替え操作摘み８２が、扉１の先端面において外部に露出するケーシング２の操作凹部８３に設けられている。
【０１０３】
〔その他の実施形態〕
（１）上述の各実施形態では、前記戸当り体３に磁性体３Ａを設け、前記可動部材５側に磁石７を設けたが、前記戸当り体３に磁石７を設け、前記可動部材５側に磁性体３Ａを設けてもよい。
さらに、前記戸当り体３に磁石７を設け、前記可動部材５にも磁石７を設けてもよい。
【０１０４】
（２）上述の各実施形態では、前記戸当り体３は、床面ＦＬへの取付け部である取付け孔３Ｃを貫通形成してある強磁性体３Ａと、該強磁性体３Ａに対して上方から嵌着される合成樹脂製のカバー３Ｂとから構成したが、床面ＦＬへの取付け部を備えた強磁性体のみから構成してもよい。
【符号の説明】
【０１０５】
Ａ        ロック操作手段
ＦＬ      床面
１        扉
２        ケーシング
３        戸当り体
３Ａ      磁性体（強磁性体）
３Ｂ      カバー
５        可動部材
６        付勢体（引張コイルスプリング）
７        磁石（永久磁石）
８        後ろ当り部
９        ロック部材
３４      固定軸（係止ピン）
４１      ノック操作部材
４２      ノック付勢体（圧縮コイルスプリング）
４３      カム溝
４４      カムフォローア
【図１】
2010281179.tif 000003
【図２】
2010281179.tif 000004
【図３】
2010281179.tif 000005
【図４】
2010281179.tif 000006
【図５】
2010281179.tif 000007
【図６】
2010281179.tif 000008
【図７】
2010281179.tif 000009
【図８】
2010281179.tif 000010
【図９】
2010281179.tif 000011
【図１０】
2010281179.tif 000012
【図１１】
2010281179.tif 000013
【図１２】
2010281179.tif 000014
【図１３】
2010281179.tif 000015
【図１４】
2010281179.tif 000016
【図１５】
2010281179.tif 000017
【図１６】
2010281179.tif 000018
【図１７】
2010281179.tif 000019
【図１８】
2010281179.tif 000020
【図１９】
2010281179.tif 000021
【図２０】
2010281179.tif 000022
【図２１】
2010281179.tif 000023
【図２２】
2010281179.tif 000024
【図２３】
2010281179.tif 000025
【図２４】
2010281179.tif 000026